(57)【要約】  無線送信装置は、送信部（２０９）と、制御部（２０３）と、を備える。送信部（２０９）は、復調用参照信号がマッピングされた無線信号を送信する。制御部（２０３）は、復調用参照信号を無線信号の時間領域において連続する第１及び第２の単位リソースのそれぞれにマッピングする場合に、第１及び第２の単位リソースにマッピングする復調用参照信号のそれぞれに、同じ系列を適用する。
2019159341.tif 000002
【特許請求の範囲】
【請求項１】
復調用参照信号がマッピングされた無線信号を送信する送信部と、
前記復調用参照信号を前記無線信号の時間領域において連続する第１及び第２の単位リソースのそれぞれにマッピングする場合に、前記第１及び第２の単位リソースにマッピングする前記復調用参照信号のそれぞれに、同じ系列を適用する制御部と、
を具備する無線送信装置。
【請求項２】
前記系列が適用される複数の前記復調用参照信号は、ＴＤ−ＯＣＣ（Time domain-Orthogonal Cover Code）が適用される信号である、
請求項１に記載の無線送信装置。
【請求項３】
前記第１及び第２の単位リソースの一方にマッピングされる復調用参照信号に適用する系列が、前記第１及び第２の単位リソースの他方にマッピングされる復調用参照信号に適用される、
請求項１に記載の無線送信装置。
【請求項４】
前記系列は、前記単位リソースのリソース番号に依存しない選択基準によって、前記同じ系列を含む複数の系列候補の中から選択される、
請求項１に記載の無線送信装置。
【請求項５】
復調用参照信号がマッピングされた無線信号を送信する送信部と、
前記復調用参照信号を前記無線信号の時間領域において、１つの単位リソースにマッピングする場合に限って、前記単位リソースのリソース番号に依存した選択基準によって複数の系列候補の中から選択された系列を前記復調用参照信号に適用する制御部と、
を備えた、無線送信装置。
【請求項６】
復調用参照信号がマッピングされた無線信号を送信する送信部と、
前記復調用参照信号を前記無線信号の時間領域において、１つ以上の単位リソースにマッピングする復調用参照信号に、ＴＤ−ＯＣＣ（Time domain-Orthogonal Cover Code）を適用しない場合に限って、前記単位リソースのリソース番号に依存した選択基準によって複数の系列候補の中から選択された系列を前記復調用参照信号に適用する制御部と、
を備えた、無線送信装置。
【発明の詳細な説明】
【技術分野】
【０００１】
本発明は、無線送信装置に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システムも検討されている。ＬＴＥの後継システムには、例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれるものがある。【０００３】
将来の無線通信システム（例えば、５Ｇ）では、データ信号を復調するための復調用参照信号（Demodulation Reference Signal）が規定され、復調用参照信号のリソースへのマッピングについての仕様化が進められている（非特許文献２参照）。なお、復調用参照信号は、「ＤＭＲＳ」（Demodulation Reference Signal）、「ＤＭ−ＲＳ」、又は、「復調用ＲＳ」と表記されてもよい。
【先行技術文献】
【非特許文献】
【０００４】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【非特許文献２】3GPP TS 38.211 V15.0.0, “Physical channels and modulation (Release 15),” December 2017
【発明の概要】
【発明が解決しようとする課題】
【０００５】
しかしながら、現状の５Ｇの仕様では、ＤＭＲＳのホッピング（例えば、グループホッピング及び／又は系列ホッピング）に適用する系列の選び方に関して、改善の余地がある。【０００６】
本発明の目的の１つは、復調用参照信号のホッピングに適用する系列の選び方を改善することにある。
【課題を解決するための手段】
【０００７】
本発明の一態様に係る無線送信装置は、復調用参照信号がマッピングされた無線信号を送信する送信部と、前記復調用参照信号を前記無線信号の時間領域において連続する第１及び第２の単位リソースのそれぞれにマッピングする場合に、前記第１及び第２の単位リソースにマッピングする前記復調用参照信号のそれぞれに、同じ系列を適用する制御部と、を具備する。
【発明の効果】
【０００８】
復調用参照信号のホッピングに適用する系列の選び方を改善できる。
【図面の簡単な説明】
【０００９】
【図１】一実施の形態に係る無線基地局の全体構成の一例を示すブロック図である。
【図２】一実施の形態に係るユーザ端末の全体構成の一例を示すブロック図である。
【図３】ＵＬリソースにおけるＤＭＲＳのマッピングの一例を示す図である。
【図４】ＤＭＲＳに対するＴＤ−ＯＣＣの一例を説明する図である。
【図５】一実施の形態に係る無線基地局及びユーザ端末のハードウェア構成の一例を示す図である。
【発明を実施するための形態】
【００１０】
以下、本発明の一実施の形態について、図面を参照して説明する。
【００１１】
（一実施の形態）
本実施の形態に係る無線通信システムは、図１に示す無線基地局１０と、図２に示すユーザ端末２０とを備える。無線基地局１０は、例えば、ｅＮＢ（ｅＮｏｄｅＢ）又はｇＮＢ（ｇＮｏｄｅＢ）とも呼ばれる。ユーザ端末２０は、例えば、ＵＥ（User Equipment）とも呼ばれる。ユーザ端末２０は、無線基地局１０と無線接続（無線アクセス）される。
【００１２】
無線基地局１０は、ユーザ端末２０に対して、下り制御チャネル（例えばＰＤＣＣＨ：Physical Downlink Control Channel）を用いて下りリンク（ＤＬ：Downlink）制御信号を送信する。また、無線基地局１０は、ユーザ端末２０に対して、下りデータチャネル（例えば下り共有チャネル：ＰＤＳＣＨ：Physical Downlink Shared Channel）を用いてＤＬデータ信号及びＤＭＲＳを送信する。
【００１３】
ユーザ端末２０は、無線基地局１０に対して、上り制御チャネル（例えばＰＵＣＣＨ：Physical Uplink Control Channel）、或いは、上りデータチャネル（例えば、上り共有チャネル：ＰＵＳＣＨ：Physical Uplink Shared Channel）を用いて上りリンク（ＵＬ：Uplink）制御信号を送信する。また、ユーザ端末２０は、無線基地局１０に対して、上りデータチャネル（例えばＰＵＳＣＨ）を用いてＵＬデータ信号及びＤＭＲＳを送信する。
【００１４】
なお、無線基地局１０及びユーザ端末２０が送受信する下りチャネル及び上りチャネルは、上記のＰＤＣＣＨ、ＰＤＳＣＨ、ＰＵＣＣＨ、ＰＵＳＣＨ等に限定されない。無線基地局１０及びユーザ端末２０が送受信する下りチャネル及び上りチャネルは、例えば、ＰＢＣＨ（Physical Broadcast Channel）、ＲＡＣＨ（Random Access Channel）等の他のチャネルでもよい。
【００１５】
図１及び図２では、無線基地局１０及びユーザ端末２０において生成されるＤＬおよび／またはＵＬの信号波形は、ＯＦＤＭ（Orthogonal Frequency Division Multiplexing）変調に基づく信号波形でもよい。或いは、ＤＬおよび／またはＵＬの信号波形は、ＳＣ−ＦＤＭＡ（Single Carrier-Frequency Division Multiple Access）又はＤＦＴ−Ｓ−ＯＦＤＭ（DFT-Spread-OFDM））に基づく信号波形でもよい。或いは、ＤＬおよび／またはＵＬの信号波形は、他の信号波形でもよい。
【００１６】
なお、図１及び図２では、信号波形を生成するための構成部（例えば、ＩＦＦＴ処理部、ＣＰ付加部、ＣＰ除去部、ＦＦＴ処理部等）の記載を省略している。
【００１７】
＜無線基地局＞
図１は、本実施の形態に係る無線基地局１０の全体構成の一例を示すブロック図である。
【００１８】
無線基地局１０は、スケジューラ１０１と、送信信号生成部１０２と、符号化・変調部１０３と、マッピング部１０４と、送信部１０５と、アンテナ１０６と、受信部１０７と、制御部１０８と、チャネル推定部１０９と、復調・復号部１１０と、を含む。
【００１９】
無線基地局１０は、複数のユーザ端末２０と同時に通信を行うＭＵ−ＭＩＭＯ（Multi-User Multiple-Input Multiple-Output）の構成を有してもよい。或いは、無線基地局１０は、１つのユーザ端末２０と通信を行うＳＵ−ＭＩＭＯ（Single-User Multiple-Input Multiple-Output）の構成を有してもよい。或いは、無線基地局１０は、ＳＵ−ＭＩＭＯおよびＭＵ−ＭＩＭＯの両方の構成を有してもよい。
【００２０】
スケジューラ１０１は、ＤＬ信号（ＤＬデータ信号、ＤＬ制御信号及びＤＭＲＳ等）のスケジューリング（例えば、リソース割当及びポート割当）を行う。また、スケジューラ１０１は、ＵＬ信号（ＵＬデータ信号、ＵＬ制御信号及びＤＭＲＳ等）のスケジューリング（例えば、リソース割当及びポート割当）を行う。また、スケジューラ１０１は、ＤＬ信号およびＵＬ信号におけるＤＭＲＳのマッピングを設定する。
【００２１】
上記のＤＭＲＳのマッピングに関連する情報を、設定情報と記載することがある。設定情報には、他の情報が含まれていてもよい。設定情報は、例えば、下り制御情報（ＤＣＩ：Downlink Control Information）に含まれてもよい。
【００２２】
スケジューラ１０１は、設定情報を含むスケジューリング情報を送信信号生成部１０２及びマッピング部１０４に出力する。
【００２３】
スケジューラ１０１は、例えば、無線基地局１０とユーザ端末２０との間のチャネル品質に基づいて、ＤＬデータ信号及びＵＬデータ信号のＭＣＳ（Modulation and Coding Scheme）（符号化率、変調方式等）を設定する。スケジューラ１０１は、設定したＭＣＳの情報を送信信号生成部１０２及び符号化・変調部１０３へ出力する。なお、ＭＣＳは、無線基地局１０が設定する場合に限定されず、ユーザ端末２０が設定してもよい。ユーザ端末２０がＭＣＳを設定する場合、無線基地局１０は、ユーザ端末２０からＭＣＳ情報を受信すればよい（図示せず）。
【００２４】
送信信号生成部１０２は、送信信号（ＤＬデータ信号、ＤＬ制御信号を含む）を生成する。例えば、ＤＬ制御信号には、スケジューラ１０１から出力されたスケジューリング情報（例えば、設定情報）又はＭＣＳ情報を含むＤＣＩが含まれる。送信信号生成部１０２は、生成した送信信号を符号化・変調部１０３に出力する。
【００２５】
符号化・変調部１０３は、例えば、スケジューラ１０１から入力されるＭＣＳ情報に基づいて、送信信号生成部１０２から入力される送信信号に対して、符号化処理及び変調処理を行う。符号化・変調部１０３は、変調後の送信信号をマッピング部１０４に出力する。
【００２６】
マッピング部１０４は、スケジューラ１０１から入力されるスケジューリング情報（例えば、ＤＬのリソース割当、および、設定情報）に基づいて、符号化・変調部１０３から入力される送信信号を所定の無線リソース（ＤＬリソース）にマッピングする。また、マッピング部１０４は、スケジューリング情報に基づいて、ＤＭＲＳを所定の無線リソース（ＤＬリソース）にマッピングする。マッピング部１０４は、無線リソースにマッピングされたＤＬ信号を送信部１０５に出力する。
【００２７】
送信部１０５は、マッピング部１０４から入力されるＤＬ信号に対して、アップコンバート、増幅等の送信処理を行い、無線周波数信号（ＤＬ信号）をアンテナ１０６から送信する。
【００２８】
受信部１０７は、アンテナ１０６で受信された無線周波数信号（ＵＬ信号）に対して、増幅、ダウンコンバート等の受信処理を行い、ＵＬ信号を制御部１０８に出力する。
【００２９】
制御部１０８は、スケジューラ１０１から入力されるスケジューリング情報（ＵＬのリソース割当）に基づいて、受信部１０７から入力されるＵＬ信号からＵＬデータ信号及びＤＭＲＳを分離（デマッピング）する。そして、制御部１０８は、ＵＬデータ信号を復調・復号部１１０に出力しＤＭＲＳをチャネル推定部１０９に出力する。
【００３０】
チャネル推定部１０９は、ＵＬ信号のＤＭＲＳを用いてチャネル推定を行い、推定結果であるチャネル推定値を復調・復号部１１０に出力する。
【００３１】
復調・復号部１１０は、チャネル推定部１０９から入力されるチャネル推定値に基づいて、制御部１０８から入力されるＵＬデータ信号に対して復調及び復号処理を行う。復調・復号部１１０は、復調後のＵＬデータ信号を、アプリケーション部（図示せず）に転送する。なお、アプリケーション部は、物理レイヤ又はＭＡＣレイヤより上位のレイヤに関する処理などを行う。
【００３２】
スケジューラ１０１、送信信号生成部１０２、符号化・変調部１０３、マッピング部１０４、及び、送信部１０５を含むブロックは、無線基地局１０に備えられた無線送信装置の一例と捉えてよい。また、受信部１０７、制御部１０８、チャネル推定部１０９、及び、復調・復号部１１０を含むブロックは、無線基地局１０に備えられた無線受信装置の一例と捉えてよい。また、制御部１０８、チャネル推定部１０９、及び、復調・復号部１１０を含むブロックは、後述するように、ＵＬ信号にマッピングされたＤＭＲＳを用いて、ＵＬ信号を受信処理する処理部の一例と捉えてよい。
【００３３】
＜ユーザ端末＞
図２は、本実施の形態に係るユーザ端末２０の全体構成の一例を示すブロック図である。
【００３４】
ユーザ端末２０は、アンテナ２０１と、受信部２０２と、制御部２０３と、チャネル推定部２０４と、復調・復号部２０５と、送信信号生成部２０６と、符号化・変調部２０７と、マッピング部２０８と、送信部２０９と、を含む。
【００３５】
受信部２０２は、アンテナ２０１で受信された無線周波数信号（ＤＬ信号）に対して、増幅、ダウンコンバート等の受信処理を行い、ＤＬ信号を制御部２０３に出力する。ＤＬ信号には、少なくとも、ＤＬデータ信号及びＤＭＲＳが含まれる。
【００３６】
制御部２０３は、受信部２０２から入力されるＤＬ信号からＤＬ制御信号及びＤＭＲＳを分離（デマッピング）する。そして、制御部２０３は、ＤＬ制御信号を復調・復号部２０５に出力し、ＤＭＲＳをチャネル推定部２０４に出力する。制御部２０３は、ＤＭＲＳの設定情報に基づいて、ＤＭＲＳを分離できる。
【００３７】
チャネル推定部２０４は、分離したＤＭＲＳを用いてチャネル推定を行い、推定結果であるチャネル推定値を復調・復号部２０５に出力する。
【００３８】
復調・復号部２０５は、制御部２０３から入力されるＤＬ制御信号を復調する。また、復調・復号部２０５は、復調後のＤＬ制御信号に対して復号処理（例えば、ブラインド検出処理）を行う。復調・復号部２０５は、ＤＬ制御信号を復号することによって得られた自機宛てのスケジューリング情報（例えば、ＤＬ／ＵＬのリソース割当）を制御部２０３及びマッピング部２０８に出力し、ＵＬデータ信号に対するＭＣＳ情報を符号化・変調部２０７へ出力する。
【００３９】
復調・復号部２０５は、制御部２０３から入力されるＤＬ制御信号に含まれるＤＬデータ信号に対するＭＣＳ情報に基づいて、チャネル推定部２０４から入力されるチャネル推定値を用いて制御部２０３から入力されるＤＬデータ信号に対して復調及び復号処理を行う。また、復調・復号部２０５は、復調後のＤＬデータ信号をアプリケーション部（図示せず）に転送する。なお、アプリケーション部は、物理レイヤ又はＭＡＣレイヤより上位のレイヤに関する処理などを行う。
【００４０】
送信信号生成部２０６は、送信信号（ＵＬデータ信号又はＵＬ制御信号を含む）を生成し、生成した送信信号を符号化・変調部２０７に出力する。
【００４１】
符号化・変調部２０７は、例えば、復調・復号部２０５から入力されるＭＣＳ情報に基づいて、送信信号生成部２０６から入力される送信信号に対して、符号化処理及び変調処理を行う。符号化・変調部２０７は、変調後の送信信号をマッピング部２０８に出力する。
【００４２】
マッピング部２０８は、復調・復号部２０５から入力されるスケジューリング情報（ＵＬのリソース割当）に基づいて、符号化・変調部２０７から入力される送信信号を所定の無線リソース（ＵＬリソース）にマッピングする。また、マッピング部２０８は、スケジューリング情報に基づいて、ＤＭＲＳを所定の無線リソース（ＵＬリソース）にマッピングする。
【００４３】
ＤＭＲＳの無線リソースへのマッピングは、例えば、制御部２０３によって制御されてよい。例えば、制御部２０３は、後述するように、設定される条件に応じて、ＤＭＲＳに用いる系列の設定（選択又は制御と称してもよい）を行う。
【００４４】
送信部２０９は、マッピング部２０８から入力されるＵＬ信号（少なくともＵＬデータ信号及びＤＭＲＳを含む）に対して、アップコンバート、増幅等の送信処理を行い、無線周波数信号（ＵＬ信号）をアンテナ２０１から送信する。
【００４５】
送信信号生成部２０６、符号化・変調部２０７、マッピング部２０８、及び、送信部２０９を含むブロックは、ユーザ端末２０に備えられた無線送信装置の一例と捉えてよい。また、受信部２０２、制御部２０３、チャネル推定部２０４、及び、復調・復号部２０５を含むブロックは、ユーザ端末２０に備えられた無線受信装置の一例と捉えてよい。また、制御部２０３、チャネル推定部２０４、及び、復調・復号部２０５を含むブロックは、後述するように、ＤＬ信号にマッピングされたＤＭＲＳを用いて、ＤＬ信号を受信処理する処理部の一例と捉えてよい。
【００４６】
以上説明した無線基地局１０とユーザ端末２０とを備える無線通信システムでは、ＤＭＲＳの一例として、front-loaded DMRSが用いられる。front-loaded DMRSは、リソース割り当て単位であるスロット（または、リソースユニットおよびサブフレーム等と呼ばれてもよい）における時間方向の前方にマッピングされる。別言すれば、スロットにマッピングされる、時間方向の最初のＤＭＲＳをfront-loaded DMRSと呼ぶ。ＤＭＲＳが前方にマッピングされることにより、無線通信システムでは、チャネル推定および復調処理に要する処理時間を短縮できる。以下では、front-loaded DMRSをＦＬ−ＤＭＲＳ、front-load DMRSと記載することがある。
【００４７】
図３は、ＵＬリソースにおけるＤＭＲＳのマッピングの一例を示す図である。図３に示すスロット（slot）は、例えば、１６８個のリソース要素（ＲＥ：Resource Element）が時間方向に１４個、周波数方向に１２個並んだ構成を有する。１ＲＥは、１シンボルと１サブキャリアとにより定義される無線リソース領域である。１つのスロットは、１４シンボルと１２サブキャリアとにより構成される。なお、「シンボル」は、ＵＬリソースにおける「単位リソース」の非限定的な一例である。なお、スロットはリソースブロックと呼ばれてもよい。
【００４８】
以下の説明では、ＲＵの時間方向の１４シンボルを、左から順にＳＢ０〜ＳＢ１３と呼ぶ。また、ＲＵの周波数方向の１２サブキャリアを、下から順にＳＣ０〜ＳＣ１１と呼ぶ。スロットの定義は、上記に限られない。例えば、スロットのシンボル数は、１４未満の場合もあり得る。また、例えば、スロットのサブキャリア数は、１１未満の場合および１３以上の場合もあり得る。
【００４９】
ＰＵＣＣＨは、スロットの先頭のＳＢ０，ＳＢ１の２シンボルにマッピングされる。または、ＰＵＣＣＨは、スロットの先頭のＳＢ０，ＳＢ１，ＳＢ２の３シンボルにマッピングされる。図３の例では、ＰＵＣＣＨは、スロットの先頭のＳＢ０，ＳＢ１の２シンボルにマッピングされている。
【００５０】
ＦＬ−ＤＭＲＳは、スロットの３番目のシンボル（ＳＢ２）にマッピングされる場合もあれば、スロットの３番目のシンボル（ＳＢ２）と４番目のシンボル（ＳＢ３）に連続してマッピングされる場合もある。
【００５１】
ＦＬ−ＤＭＲＳの時間方向の後方に、アディショナルＤＭＲＳ（additional DMRS）がマッピングされることがある。図３の例では、アディショナルＤＭＲＳは、ＳＢ１０，１１にマッピングされている。アディショナルＤＭＲＳは、図３の例に示すように、ＦＬ−ＤＭＲＳと共通のサブキャリアにマッピングされてよい。以下では、アディショナルＤＭＲＳを、Ａ−ＤＭＲＳと記載することがある。
【００５２】
ユーザ端末２０の制御部２０３は、例えば、Ｚａｄｏｆｆ−Ｃｈｕ系列の系列グループ番号ｆｇｈおよび系列番号ｖ、ホッピングモード、及び、時間領域のＣＤＭ（Code Division Multiplexing）の少なくとも１つのパラメータから、ＵＬリソースにマッピングするＤＭＲＳを生成する。時間領域のＣＤＭでは、例えば、ＯＣＣ（Orthogonal Cover Code）が用いられる。以下では、ＯＣＣを用いた時間領域のＣＤＭを、ＴＤ−ＯＣＣ（Time domain-Orthogonal Cover Code）と記載する。なお、ＴＤ−ＯＣＣの具体例については後述する。
【００５３】
ホッピングモードは、系列グループホッピング（または、グループホッピング（group hopping）と記載されてもよい）及び系列ホッピング（sequence hopping）をそれぞれ使用するか否かを示す情報である。ホッピングモードは、例えば、上位レイヤ（例えばアプリケーション部）から設定される。
【００５４】
系列グループホッピングが使用される場合、例えば、スロット毎に異なる系列グループ番号ｆｇｈが選択される。系列ホッピングが使用される場合、例えば、スロット毎に異なる系列番号ｖが選択される。系列番号は、或る系列グループに属する番号であってもよい。
【００５５】
次に、ホッピングモードの設定と、系列グループ番号ｆｇｈ及び系列番号ｖとの関係について説明する。
【００５６】
（Ａ１）ホッピングモードが、系列グループホッピング及び系列ホッピングの何れも使用しない設定（ディゼーブル設定）である場合、ユーザ端末２０の制御部２０３は、ｆｇｈ及びｖを、次の式１によって算出する。
【００５７】
【数１】
2019159341.tif 000003
【００５８】
（Ａ２）ホッピングモードが、系列グループホッピングを使用し（イネーブル）、系列ホッピングを使用しない（ディゼーブル）設定である場合、制御部２０３は、ｆｇｈ及びｖを、次の式２によって算出する。
【００５９】
【数２】
2019159341.tif 000004
【００６０】
ここで、ｎｓ，ｆμはサブフレーム内のスロット番号、ｌは１スロット内におけるＯＦＤＭシンボル番号を示す。また、ｃ（ｉ）は、非特許文献２のセクション５．２．１に記載されている疑似乱数系列を表し、例えば、無線フレーム毎に、次の式３よって初期化される。
【００６１】
【数３】
2019159341.tif 000005
【００６２】
（Ａ３）ホッピングモードが、系列ホッピングを使用し（イネーブル）、系列グループホッピングを使用しない（ディゼーブル）設定である場合、制御部２０３は、ｆｇｈ及びｖを、例えば、次の式４によって算出する。
【００６３】
【数４】
2019159341.tif 000006
【００６４】
ここで、ＮＳＣＲＢは、サブキャリア方向の連続するリソースブロック数を表す。ＭＺＣは、Ｚａｄｏｆｆ−Ｃｈｕ系列の長さを表す。また、ｃ（ｉ）は、非特許文献２のセクション５．２．１に記載されている疑似乱数系列を表し、例えば、無線フレーム毎に、次の式５によって初期化される。
【００６５】
【数５】
2019159341.tif 000007
【００６６】
＜ＴＤ−ＯＣＣについて＞
図４に示すように、ＴＤ−ＯＣＣにおいて、ＤＭＲＳは、例えば、時間領域において連続する複数（例えば、２つ）のシンボルにマッピングされる。また、異なる複数のポート（別言すると、ユーザ端末２０）向けのＤＭＲＳは、ＯＣＣによって多重される。ここで、上記の式２及び式４は、シンボル番号ｌを含んでいるため、例えば、ホッピングモードが上記（Ａ２）又は（Ａ３）の設定であり、異なるユーザ端末２０からのＤＭＲＳ（例えば、連続した２シンボル）にＴＤ−ＯＣＣを適用した場合、ユーザ端末２０間の直交性が崩れる。以下、図４を参照しながら、具体例を説明する。
【００６７】
ＵＥ＃０（ユーザ端末２０）は、ＳＢ２及びＳＢ３に対して、それぞれ、系列ａ及びｂを適用し、当該系列｛ａ，ｂ｝の組に対してＴＤ−ＯＣＣ｛＋１，＋１｝を適用する。一方、ＵＥ＃１は、同じＳＢ２及びＳＢ３に対して、それぞれ、系列ａ及びｂを適用し、当該系列｛ａ，ｂ｝に対してＴＤ−ＯＣＣ｛＋１，−１｝の組を適用する。
【００６８】
ここで、系列ａは、例えば、シンボル番号ｌ＝２として、式２（又は式４）を用いて設定される系列であり、系列ｂは、例えば、シンボル番号ｌ＝３として、式２（又は式４）を用いて設定される系列である。この場合、ｅＮＢ（無線基地局１０）が受信するＵＬ信号において、ＳＢ２に多重されたＵＥ＃０及びＵＥ＃１のＤＭＲＳに対応する受信信号ｒ０、並びに、ＳＢ３に多重されたＵＥ＃０及びＵＥ＃１のＤＭＲＳに対応する受信信号ｒ１は、例えば、次の式６によって表現できる。
【００６９】
【数６】
2019159341.tif 000008
ここで、ｈ０は、例えば、ＵＥ＃０とｅＮＢとの間の伝搬特性（チャネル利得）を表し、ｈ１は、例えば、ＵＥ＃１とｅＮＢとの間の伝搬特性（チャネル利得）を表す。
【００７０】
ｅＮＢは、ＵＥ＃０から送信されたＵＬ信号のＤＭＲＳを抽出してｈ０を推定するために、受信信号｛ｒ０，ｒ１｝に対して、ＵＥ＃０に適用されるＴＤ−ＯＣＣ｛＋１，＋１｝を用いて逆拡散を行う。逆拡散の処理は、例えば、次の式７によって表現できる。
【００７１】
【数７】
2019159341.tif 000009
【００７２】
ここで、式７において、「ａ＝ｂ」でない場合、直交性が崩れるため、（ａ−ｂ）ｈ１の成分が残る。そのため、ｅＮＢにおいて、逆拡散によって推定されるｈ０の推定精度が劣化し得る。
【００７３】
本実施の形態では、ホッピングモードが上記（Ａ２）又は（Ａ３）の場合に対して、次の（Ｂ１）から（Ｂ４）の何れかの制御又は処理を行う。
【００７４】
＜実施例１＞
（Ｂ１）
ＤＭＲＳが連続シンボルにマッピングされる場合、ユーザ端末２０の制御部２０３は、上記（Ａ２）又は（Ａ３）において説明した制御（系列の選択）とは異なる制御を行う。ＤＭＲＳが連続シンボルにマッピングされる場合とは、例えば、上位レイヤからＤＭＲＳの最大シンボル数が「２」に設定され、かつ、ＤＣＩによって実際のＤＭＲＳのシンボル数が「２」に設定された場合である。以下では、ＤＭＲＳが連続する２シンボルにマッピングされる場合について説明する。しかし、本実施の形態は、ＤＭＲＳが連続する３シンボル以上にマッピングされる場合にも適用できる。
【００７５】
ＤＭＲＳが連続する２シンボルにマッピングされ、かつ、ホッピングモードが上記（Ａ２）の設定である場合、制御部２０３は、連続する２シンボルのうち、２シンボル目（例えば、図３のＳＢ３）のｆｇｈに、１シンボル目（例えば、図３のＳＢ２）について算出したｆｇｈを用いる。
【００７６】
また、ＤＭＲＳが連続する２シンボルによって構成され、かつ、ホッピングモードが上記（Ａ３）の設定（系列グループホッピングがディゼーブル、かつ、系列ホッピングがイネーブル）である場合、制御部２０３は、連続する２シンボルのうち、２シンボル目のｖに、１シンボル目について算出したｖを用いる。
【００７７】
（Ｂ２）
ＤＭＲＳが連続する２シンボルにマッピングされ、かつ、ホッピングモードが上記（Ａ２）の設定（系列グループホッピングがイネーブル、かつ、系列ホッピングがディゼーブル）である場合、制御部２０３は、連続する２シンボルのうち、１シンボル目のｆｇｈに、２シンボル目について算出したｆｇｈを用いる。
【００７８】
また、ＤＭＲＳが連続する２シンボルにマッピングされ、かつ、ホッピングモードが上記（Ａ３）の設定（系列グループホッピングがディゼーブル、かつ、系列ホッピングがイネーブル）である場合、制御部２０３は、連続する２シンボルのうち、１シンボル目のｖに、２シンボル目について算出したｖを用いる。
【００７９】
（Ｂ３）
上位レイヤからＴＤ−ＯＣＣが「イネーブル」に設定され、ＤＭＲＳが連続する２シンボルにマッピングされ、かつ、ホッピングモードが上記（Ａ２）の設定（系列グループホッピングがイネーブル、かつ、系列ホッピングがディゼーブル）である場合、制御部２０３は、連続する２シンボルのうち、２シンボル目のｆｇｈに、１シンボル目について算出したｆｇｈを用いる。
【００８０】
また、上位レイヤからＴＤ−ＯＣＣが「イネーブル」に設定され、ＤＭＲＳが連続する２シンボルにマッピングされ、かつ、ホッピングモードが上記（Ａ３）の設定（系列グループホッピングがディゼーブル、かつ、系列ホッピングがイネーブル）である場合、制御部２０３は、連続する２シンボルのうち、２シンボル目のｖに、１シンボル目について算出したｖを用いる。
【００８１】
（Ｂ４）
上位レイヤからＴＤ−ＯＣＣが「イネーブル」に設定され、ＤＭＲＳが連続する２シンボルにマッピングされ、かつ、ホッピングモードが上記（Ａ２）の設定（系列グループホッピングがイネーブル、かつ、系列ホッピングがディゼーブル）である場合、制御部２０３は、当該２シンボルのうち、１シンボル目のｆｇｈに、２シンボル目について算出したｆｇｈを用いる。
【００８２】
また、上位レイヤからＴＤ−ＯＣＣが「イネーブル」に設定され、ＤＭＲＳが連続する２シンボルにマッピングされ、かつ、ホッピングモードが上記（Ａ３）の設定（系列グループホッピングがディゼーブル、かつ、系列ホッピングがイネーブル）である場合、制御部２０３は、当該２シンボルのうち、１シンボル目のｖに、２シンボル目について算出したｖを用いる。
【００８３】
なお、上位レイヤから上記（Ｂ１）、（Ｂ２）、（Ｂ３）、及び、（Ｂ４）の何れにも該当しない設定がなされた場合、制御部２０３は、上記（Ａ２）又は上記（Ａ３）において説明した制御（系列の選択）を行ってよい。
【００８４】
＜実施例２＞
実施例２では、実施例１で用いた式とは異なる式を用いる例について説明する。
【００８５】
ホッピングモードが上記（Ａ２）の設定である場合、すなわち、系列グループホッピングがイネーブル、かつ、系列ホッピングがディゼーブルである場合、ユーザ端末２０の制御部２０３は、ｆｇｈ及びｖを、例えば、下記の式８又は式９によって算出する。式８は、式２における変数「ｌ」を削除した式に相当し、式９は、式２における変数「ｌ」及び数値「１４」を削除した式に相当する。式９では、ＰＵＣＣＨに用いられる系列グループホッピングがＤＭＲＳにおいてリユースされる。
【００８６】
【数８】
2019159341.tif 000010
【００８７】
【数９】
2019159341.tif 000011
【００８８】
なお、上記の式８及び式９は一例であり、１シンボル目のｆｇｈと、２シンボル目のｆｇｈとが同じになるのであれば、制御部２０３は、上記とは異なる式を用いてもよい。
【００８９】
また、ＤＭＲＳが連続シンボルにマッピングされ、かつ、ホッピングモードが上記（Ａ２）の設定である場合も、制御部２０３は、ｆｇｈ及びｖを、式８又は式９によって算出してよい。
【００９０】
また、上位レイヤからＴＤ−ＯＣＣが「イネーブル」に設定され、ＤＭＲＳが連続シンボルにマッピングされ、かつ、ホッピングモードが上記（Ａ２）の設定である場合も、制御部２０３は、ｆｇｈ及びｖを、式８又は式９によって算出してよい。
【００９１】
ホッピングモードが上記（Ａ３）の設定である場合、すなわち、系列ホッピングがイネーブル、かつ、系列グループホッピングがディゼーブルである場合、制御部２０３は、ｆｇｈ及びｖを、次の式１０又は式１１によって算出する。式１０は、式４における変数ｌを削除した式に相当し、式１１は、式４における変数ｌ及び数値「１４」を削除した式に相当する。
【００９２】
【数１０】
2019159341.tif 000012
【００９３】
【数１１】
2019159341.tif 000013
【００９４】
なお、上記の式１０及び式１１は一例であり、１シンボル目のｖと２シンボル目のｖとが同じになるのであれば、制御部２０３は、上記とは異なる式を用いてもよい。式１０では、ＰＵＣＣＨに用いられる系列ホッピングがＤＭＲＳにおいてリユースされる。
【００９５】
また、ＤＭＲＳが連続シンボルにマッピングされ、かつ、ホッピングモードが上記（Ａ３）の設定（系列ホッピングがイネーブル、かつ、系列グループホッピングがディゼーブル）である場合も、制御部２０３は、ｆｇｈ及びｖを、次の式１０又は式１１によって算出してよい。
【００９６】
また、上位レイヤからＴＤ−ＯＣＣが「イネーブル」に設定され、ＤＭＲＳが連続シンボルにマッピングされ、かつ、ホッピングモードが上記（Ａ３）の設定（系列ホッピングがイネーブル、かつ、系列グループホッピングがディゼーブル）である場合も、制御部２０３は、ｆｇｈ及びｖを、次の式１０又は式１１によって算出してよい。
【００９７】
なお、上記の式８、式９、式１０、及び、式１１は一例であり、１シンボル目のｆｇｈと、２シンボル目のｆｇｈと、が同じになるのであれば、制御部２０３は、上記とは異なる式を用いてもよい。同様に、１シンボル目のｖと２シンボル目のｖとが同じになるのであれば、制御部２０３は、上記とは異なる式を用いてもよい。
【００９８】
＜実施例３＞
実施例３では、連続する２シンボルにマッピングされるＤＭＲＳに関して、式２及び式４の適用が許容される条件を設ける例について説明する。
【００９９】
例えば、ユーザ端末２０の制御部２０３は、下記の（Ｃ１）又は（Ｃ２）の何れかの条件が満たされた場合、ホッピングモードの設定に応じて、上記（Ａ２）又は（Ａ３）の制御を行ってよい。別言すると、下記の（Ｃ１）及び（Ｃ２）の条件が満たされない場合、ホッピングモードの設定に応じた上記（Ａ２）及び（Ａ３）の制御は行われなくてよい。更に別言すると、上記（Ａ２）又は（Ａ３）の制御は、下記の（Ｃ１）又は（Ｃ２）の何れかの条件が満たされた場合に限って行われてよい。
【０１００】
（Ｃ１）
上位レイヤからＤＭＲＳの最大シンボル数が「１」に設定されるという条件、又は、上位レイヤからＤＭＲＳの最大シンボル数が「２」に設定され、かつ、ＤＣＩによって実際のＤＭＲＳのシンボル数が「１」に設定されるという条件が満たされる場合、ホッピングモードの設定に応じて、上記（Ａ２）又は（Ａ３）の制御が行われてよい。
【０１０１】
なお、上記（Ｃ１）の条件が満たされない場合、すなわち、上位レイヤから、以上の設定とは異なる設定がなされた場合、制御部２０３は、上記（Ａ１）の制御、すなわち、系列グループホッピング及び系列ホッピングの何れも適用しない制御を行ってよい。
【０１０２】
或いは、上記（Ｃ１）の条件が満たされない場合、すなわち、上位レイヤから、以上の設定とは異なる設定がなされた場合、制御部２０３は、上記（Ｂ１）から（Ｂ４）に例示した何れかの制御、或いは、実施例２に示した制御を行ってよい。
【０１０３】
（Ｃ２）
上位レイヤからＴＤ−ＯＣＣが「ディゼーブル」に設定されるという条件がみたされる場合、ホッピングモードの設定に応じて、上記（Ａ２）又は（Ａ３）の制御が行われてよい。
【０１０４】
なお、上記（Ｃ１）の条件が満たされない場合、すなわち、上位レイヤから、この設定とは異なる設定がなされた場合、制御部２０３は、上記（Ａ１）の制御、すなわち、系列グループホッピング及び系列ホッピングの何れも適用しない制御を行ってよい。
【０１０５】
或いは、上位レイヤから、この設定とは異なる設定がなさされた場合、制御部２０３は、上記の（Ｂ１）から（Ｂ４）に例示した何れかの制御（系列の選択）、或いは、実施例２に示した制御（系列の選択）を行ってよい。
【０１０６】
＜実施例４＞
上述では、系列グループホッピング及び系列ホッピングの何れか一方が「有効（enable）」の場合について説明した。しかし、上述の説明は、系列グループホッピング及び系列ホッピングの両方が「イネーブル」に設定される場合にも適用できる。
【０１０７】
例えば、ＤＭＲＳが連続する２シンボルにマッピングされ、かつ、系列グループホッピング及び系列ホッピングの両方が「イネーブル」に設定される場合に適用されてもよい。この場合、例えば、ユーザ端末２０の制御部２０３は、連続する２シンボルの一方に適用したｆｇｈ及びｖが、連続する２シンボルの他方のｆｇｈ及びｖとしてそれぞれ適用されてよい。
【０１０８】
＜本実施の形態の効果の一例＞
本実施の形態では、ユーザ端末２０は、ＤＭＲＳを連続する複数シンボルにマッピングする場合、当該複数シンボルに、同じ系列（ｆｇｈ及び／又はｖによって識別される系列）を適用する。これにより、例えば、ＵＬ信号において、ＴＤ−ＯＣＣを適用したＤＭＲＳが多重された場合に、多重されたＤＭＲＳの直交性が保たれる。
【０１０９】
よって、無線基地局１０は、各ユーザ端末２０のＤＭＲＳが多重されたＵＬ信号から、希望するユーザ端末２０のＤＭＲＳを分離して推定するチャネル推定値の推定精度の劣化を防ぐことができる。また、例えば、式７に示した逆拡散演算は、逆行列を用いた演算よりも演算量が少ないため、無線基地局１０における処理負荷、回路規模、及び／又は、消費電力量が軽減され得る。
【０１１０】
以上、本発明の実施の形態について説明した。
【０１１１】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０１１２】
例えば、本発明の一実施の形態における無線基地局１０、ユーザ端末２０などは、本発明の無線通信方法の処理を行うコンピュータとして機能してもよい。図５は、本発明の一実施の形態に係る無線基地局１０及びユーザ端末２０のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１１３】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１１４】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０１１５】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０１１６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）によって構成されてもよい。例えば、上述のスケジューラ１０１、送信信号生成部１０２，２０６、符号化・変調部１０３，２０７、マッピング部１０４，２０８、制御部１０８，２０３、チャネル推定部１０９，２０４、復調・復号部１１０，２０５などは、プロセッサ１００１によって実現されてもよい。
【０１１７】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０のスケジューラ１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【０１１８】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１１９】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１２０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０５，２０９、アンテナ１０６，２０１、受信部１０７，２０２などは、通信装置１００４で実現されてもよい。
【０１２１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１２２】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１２３】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１２４】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１２５】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１２６】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２７】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０１２８】
（入出力の方向）
情報及び信号等は、上位レイヤ(または下位レイヤ)から下位レイヤ(または上位レイヤ)に出力され得る。複数のネットワークノードを介して入出力されてもよい。
【０１２９】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０１３０】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０１３１】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３３】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３４】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１３５】
（「システム」、「ネットワーク」）
本明細書で使用する「システム」および「ネットワーク」という用語は、互換的に使用される。
【０１３６】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１３７】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１３８】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「ｇＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、ｇＮｏｄｅＢ（ｇＮＢ）アクセスポイント（access point）、フェムトセル、スモールセルなどの用語で呼ばれる場合もある。
【０１３９】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０１４０】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１４１】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１４２】
参照信号は、ＲＳ（Reference Signal）と略称することもでき、適用される標準によってパイロット（Pilot）と呼ばれてもよい。また、ＤＭＲＳは、対応する別の呼び方、例えば、復調用ＲＳまたはＤＭ−ＲＳなどであってもよい。
【０１４３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４４】
上記の各装置の構成における「部」を、「手段」、「回路」、「デバイス」等に置き換えてもよい。
【０１４５】
「含む(including)」、「含んでいる（comprising）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１４６】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０１４７】
無線フレーム、サブフレーム、スロット、ミニスロット、およびシンボルは、いずれも信号を伝送する際の時間単位を表す。無線フレーム、サブフレーム、スロット、ミニスロット、およびシンボルは、それぞれに対応する別の呼び方であってもよい。
【０１４８】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０１４９】
例えば、１サブフレームをＴＴＩと呼んでもよいし、複数の連続したサブフレームをＴＴＩと呼んでもよいし、１スロットをＴＴＩと呼んでもよいし、１ミニスロットをＴＴＩと呼んでもよい。
【０１５０】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１ミニスロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０１５１】
上述した無線フレームの構造は例示に過ぎず、無線フレームに含まれるサブフレームの数、サブフレームに含まれるスロットの数、サブフレームに含まれるミニスロットの数、スロットに含まれるシンボルおよびリソースブロックの数、および、リソースブロックに含まれるサブキャリアの数は様々に変更することができる。
【０１５２】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０１５３】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１５４】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１５５】
１０  無線基地局
２０  ユーザ端末
１０１  スケジューラ
１０２，２０６  送信信号生成部
１０３，２０７  符号化・変調部
１０４，２０８  マッピング部
１０５，２０９  送信部
１０６，２０１  アンテナ
１０７，２０２  受信部
１０８，２０３  制御部
１０９，２０４  チャネル推定部
１１０，２０５  復調・復号部
【図１】
2019159341.tif 000014
【図２】
2019159341.tif 000015
【図３】
2019159341.tif 000016
【図４】
2019159341.tif 000017
【図５】
2019159341.tif 000018
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
上りリンク共有チャネルの送信処理を行う送信部と、
前記上りリンク共有チャネルにおいて連続する第１シンボル及び第２シンボルを用いて復調用参照信号をシングルキャリアによって送信する場合、前記第２シンボルの復調用参照信号に、前記第１シンボルの復調用参照信号に用いた系列を適用する制御部と、
を具備するユーザ端末。
【請求項２】
端末は、
上りリンク共有チャネルの送信処理を行い、
前記上りリンク共有チャネルにおいて連続する第１シンボル及び第２シンボルを用いて復調用参照信号をシングルキャリアによって送信する場合、前記第２シンボルの復調用参照信号に、前記第１シンボルの復調用参照信号に用いた系列を適用する、
無線通信方法。
【手続補正３】
【補正対象書類名】明細書
【補正対象項目名】０００１
【補正方法】変更
【補正の内容】
【０００１】
本発明は、ユーザ端末および無線通信方法に関する。
【手続補正４】
【補正対象書類名】明細書
【補正対象項目名】０００７
【補正方法】変更
【補正の内容】
【０００７】
本発明の一態様に係るユーザ端末は、上りリンク共有チャネルの送信処理を行う送信部と、前記上りリンク共有チャネルにおいて連続する第１シンボル及び第２シンボルを用いて復調用参照信号をシングルキャリアによって送信する場合、前記第２シンボルの復調用参照信号に、前記第１シンボルの復調用参照信号に用いた系列を適用する制御部と、を具備する。
【国際調査報告】
2019159341.tif 000019
2019159341.tif 000020